(57)【要約】【課題】直感的に故障個所が把握でき、しかも故障個所の報知を警報と誤認識することがない警報器を提供する。【解決手段】ＣＰＵ１０ａは、火災センサ１１又はガスセンサ１２の故障検出に応じて、電源ランプ１３を常時点灯状態から高速点滅状態にさせて、故障検出を報知する。またＣＰＵ１０ａは、火災センサ１１の故障検出時に音声確認スイッチ１８が操作されると火災警報ランプ１６を点滅させ、ガスセンサ１２の故障検出時に音声確認スイッチ１８が操作されると都市ガスランプ１４及び火災警報ランプを同時点滅させて、故障箇所を報知する。【選択図】図１
2006106850.tif 000002
【特許請求の範囲】
【請求項１】
所定ガスを検出するガスセンサと、火災を検出する火災センサと、前記ガスセンサが所定ガスを検出したときに発光されるガス発光素子と、前記火災センサが火災を検出したときに発光される火災発光素子と、電源供給時に発光される電源発光素子と、前記火災センサの故障を検出する火災故障検出手段と、前記ガスセンサの故障を検出するガス故障検出手段と、所定操作が行われる操作手段とを備えた警報器であって、
前記火災センサ又は前記ガスセンサの故障検出に応じて、前記電源供給時とは異なるように前記電源発光素子を発光させて、前記故障検出を報知する故障報知手段と、
前記火災センサの故障検出時に前記操作手段が操作されると前記火災発光素子を発光させ、前記ガスセンサの故障検出時に前記操作手段が操作されると前記ガス発光素子を発光させて、故障箇所を報知する故障箇所報知手段をさらに備えたことを特徴とする警報器。
【請求項２】
第１所定ガスを検出する第１ガスセンサと、第２所定ガスを検出する第２ガスセンサと、前記第１ガスセンサが第１所定ガスを検出したときに発光される第１ガス発光素子と、前記第２ガスセンサが第２所定ガスを検出したときに発光される第２ガス発光素子と、電源供給時に発光される電源発光素子と、前記第１ガスセンサの故障を検出する第１ガス故障検出手段と、前記第２ガスセンサの故障を検出する第２ガス故障検出手段と、所定操作が行われる操作手段とを備えた警報器であって、
前記第１又は第２ガスセンサの故障検出に応じて、前記電源供給時とは異なるように前記電源発光素子を発光させて、前記故障検出を報知する故障報知手段と、
前記第１ガスセンサの故障検出時に前記操作手段が操作されると前記第１ガス発光素子を発光させ、前記第２ガスセンサの故障検出時に前記操作手段が操作されると前記第２ガス発光素子を発光させて、故障箇所を報知する故障箇所報知手段をさらに備えたことを特徴とする警報器。
【請求項３】
所定ガスを検出するガスセンサと、前記ガスセンサが所定ガスを検出したときに発光されるガス発光素子と、電源供給時に発光される電源発光素子と、前記ガスセンサの故障を検出するガス故障検出手段と、内蔵された所定の電気部品の故障を検出する電気故障検出手段と、所定操作が行われる操作手段とを備えた警報器であって、
前記ガスセンサ又は前記所定の電気部品の故障検出に応じて、前記電源供給時とは異なるように前記電源発光素子を発光させて、前記故障検出を報知する故障報知手段と、
前記ガスセンサの故障検出時に前記操作手段が操作されると前記ガス発光素子を発光させ、前記所定の電気部品の故障検出時に前記操作手段が操作されると前記電源発光素子を発光させて、故障箇所を報知する故障箇所報知手段をさらに備えたことを特徴とする警報器。
【請求項４】
請求項１〜３何れか１項記載の警報器であって、
前記ガスセンサは複数種のガスを識別可能に検出し、
前記ガス発光素子は前記複数種のガスに各々対応して複数設けられ、
前記故障箇所報知手段は、前記ガスセンサの故障時に前記操作手段が操作されると複数設けられた全てのガス発光素子を発光させることを特徴とする警報器。
【請求項５】
請求項３記載の警報器であって、
前記所定の電気部品は警報に用いる各種情報を記録する記録手段であることを特徴とする警報器。
【請求項６】
請求項１〜５何れか１項記載の警報器であって、
前記故障箇所報知手段は、前記各発光素子を発光させてから所定時間経過すると、前記発光させた発光素子を消灯させることを特徴とする警報器。
【発明の詳細な説明】
【技術分野】
【０００１】
本発明は、警報器に係り、例えば、火災警報やガス漏れ警報などを行う警報器に関するものである。
【背景技術】
【０００２】
近年家庭内でのガス漏れの検出と火災の検出とを行う機能を備えた火災及びガス漏れ複合型警報器（火災・ガス漏れ警報器）の開発が進められている。ところで、このような火災・ガス漏れ警報器においては、火災を検出する火災センサや、ガス漏れを検出するガスセンサの故障が発生することが考えられる。万一このような故障が発生した場合には故障発生の事実を火災・ガス漏れ警報器で報知する必要がある。
【０００３】
また、上述したセンサ以外にも火災・ガス漏れ警報器に内蔵された例えば警報判定値などが格納されたＥＥＰＲＯＭなどの所定の電気部品が故障することも考えられる。この場合も故障発生の事実を火災・ガス漏れ警報器で報知する必要がある。
【０００４】
しかしながら、単に故障を報知するだけではどの部分に故障が発生しているのか不明であり、ガス事業者が修理にきても、どの部分で故障が発生しているのかがわからず、故障箇所を想定して一つ一つその原因を調査する必要がある。このため、故障現場にガス事業者が来てもすぐにエンドユーザに対して故障の原因を説明することができずエンドユーザが不安にさせていた。
【０００５】
そこで、故障を検出したときその故障箇所を報知する火災・ガス漏れ警報器が特許文献１で提案されている。特許文献１記載の火災・ガス漏れ警報器によれば、例えば、センサ及び電源回路部（電気部品）の故障の種類に対して、電源灯（電源供給時に点灯されるＬＥＤ）の点滅周期などを変化させて故障箇所を識別可能に報知している。しかしながら、このような故障個所報知では、電源灯の点滅周期などを把握しなければならず、直感的にどの箇所に故障が発生しているかを判断することが難しいという問題があった。
【０００６】
また特許文献１には、例えば、センサ及び電源回路部（＝電気部品）の故障の種類に応じて下記に示すＬＥＤを点滅させて故障個所を識別可能に報知することも記載されている。
（１）火災センサ故障：火災時に点灯される火災表示灯を点滅させる。
（２）ガスセンサ故障：ガス検出時に点滅されるＣＯ又はＣＨ４表示灯を点滅させる（ガス検出時の点滅とは異なる点滅表示をする）。
（３）電源回路部故障：電源灯を点滅させる。
【０００７】
このような故障個所報知によれば、火災センサ故障時には火災表示灯が、ガスセンサ故障時にはＣＯ又はＣＨ４表示灯が点滅されるため、直感的にどの箇所に故障が発生しているかを判断することが容易となる。しかしながら、たとえ火災時やガス検出時とは識別可能に火災表示灯、ＣＯ又はＣＨ４表示灯を点滅させていても、火災表示灯、ＣＯ又はＣＨ４表示灯が発光しているとエンドユーザは上記故障個所報知を火災やガス漏れの警報であると誤認識してしまう可能性が高い。
【特許文献１】特開２００２−４２２６８号公報
【発明の開示】
【発明が解決しようとする課題】
【０００８】
そこで、本発明は、上記のような問題点に着目し、直感的に故障個所が把握でき、しかも故障個所の報知を警報と誤認識することがない警報器を提供することを課題とする。
【課題を解決するための手段】
【０００９】
上記課題を解決するためになされた請求項１記載の発明は、所定ガスを検出するガスセンサと、火災を検出する火災センサと、前記ガスセンサが所定ガスを検出したときに発光されるガス発光素子と、前記火災センサが火災を検出したときに発光される火災発光素子と、電源供給時に発光される電源発光素子と、前記火災センサの故障を検出する火災故障検出手段と、前記ガスセンサの故障を検出するガス故障検出手段と、所定操作が行われる操作手段とを備えた警報器であって、前記火災センサ又は前記ガスセンサの故障検出に応じて、前記電源供給時とは異なるように前記電源発光素子を発光させて、前記故障検出を報知する故障報知手段と、前記火災センサの故障検出時に前記操作手段が操作されると前記火災発光素子を発光させ、前記ガスセンサの故障検出時に前記操作手段が操作されると前記ガス発光素子を発光させて、故障箇所を報知する故障箇所報知手段をさらに備えたことを特徴とする警報に存する。
【００１０】
請求項１記載の発明によれば、故障報知手段が、火災センサ又はガスセンサの故障検出に応じて、電源供給時とは異なるように電源発光素子を発光させて、故障検出を報知する。故障箇所報知手段が、火災センサの故障検出時に操作手段が操作されると火災発光素子を発光させ、ガスセンサの故障検出時に操作手段が操作されるとガス発光素子を発光させて、故障箇所を報知する。従って、ガスセンサ又は火災センサの故障が検出されると、電源供給時とは異なるように電源発光素子が発光するため、エンドユーザは故障が発生したことを認識する。ただし、この時点ではガス発光素子又は火災発光素子は発光されていないため、警報と誤認識されることはない。その後、ガス事業者が現場に到着して操作手段を操作するとガスセンサの故障検出時にはガス発光素子が、火災センサの故障検出時には火災発光素子が発光されるため、どの箇所に故障が発生しているかを直感的に把握することができる。
【００１１】
請求項２記載の発明は、第１所定ガスを検出する第１ガスセンサと、第２所定ガスを検出する第２ガスセンサと、前記第１ガスセンサが第１所定ガスを検出したときに発光される第１ガス発光素子と、前記第２ガスセンサが第２所定ガスを検出したときに発光される第２ガス発光素子と、電源供給時に発光される電源発光素子と、前記第１ガスセンサの故障を検出する第１ガス故障検出手段と、前記第２ガスセンサの故障を検出する第２ガス故障検出手段と、所定操作が行われる操作手段とを備えた警報器であって、前記第１又は第２ガスセンサの故障検出に応じて、前記電源供給時とは異なるように前記電源発光素子を発光させて、前記故障検出を報知する故障報知手段と、前記第１ガスセンサの故障検出時に前記操作手段が操作されると前記第１ガス発光素子を発光させ、前記第２ガスセンサの故障検出時に前記操作手段が操作されると前記第２ガス発光素子を発光させて、故障箇所を報知する故障箇所報知手段をさらに備えたことを特徴とする警報器に存する。
【００１２】
請求項２記載の発明によれば、故障報知手段が、第１又は第２ガスセンサの故障検出に応じて、電源供給時とは異なるように電源発光素子を発光させて、故障検出を報知する。故障箇所報知手段が、第１ガスセンサの故障検出時に操作手段が操作されると第１ガス発光素子を発光させ、第２ガスセンサの故障検出時に操作手段が操作されると第２ガス発光素子を発光させて、故障箇所を報知する。従って、第１又は第２ガスセンサの故障が検出されると、電源供給時とは異なるように電源発光素子が発光するため、エンドユーザは故障が発生したことを認識する。ただし、この時点では第１ガス発光素子又は第２ガス発光素子は発光されていないため、警報と誤認識されることはない。その後、ガス事業者が現場に到着して操作手段を操作すると第１ガスセンサの故障検出時には第１ガス発光素子が、第２ガスセンサの故障検出時には第２ガス発光素子が発光されるため、どの箇所に故障が発生しているかを直感的に把握することができる。
【００１３】
請求項３記載の発明は、所定ガスを検出するガスセンサと、前記ガスセンサが所定ガスを検出したときに発光されるガス発光素子と、電源供給時に発光される電源発光素子と、前記ガスセンサの故障を検出するガス故障検出手段と、内蔵された所定の電気部品の故障を検出する電気故障検出手段と、所定操作が行われる操作手段とを備えた警報器であって、前記ガスセンサ又は前記所定の電気部品の故障検出に応じて、前記電源供給時とは異なるように前記電源発光素子を発光させて、前記故障検出を報知する故障報知手段と、前記ガスセンサの故障検出時に前記操作手段が操作されると前記ガス発光素子を発光させ、前記所定の電気部品の故障検出時に前記操作手段が操作されると前記電源発光素子を発光させて、故障箇所を報知する故障箇所報知手段をさらに備えたことを特徴とする警報器に存する。
【００１４】
請求項３記載の発明によれば、故障報知手段が、ガスセンサ又は所定の電気部品の故障検出に応じて、電源供給時とは異なるように電源発光素子を発光させて、故障検出を報知する。故障箇所報知手段が、ガスセンサの故障検出時に操作手段が操作されるとガス発光素子を発光させ、所定の電気部品の故障検出時に操作手段が操作されると電源発光素子を発光させて、故障箇所を報知する。従って、ガスセンサ又は所定の電気部品の故障が検出されると、電源供給時とは異なるように電源発光素子が発光するため、エンドユーザは故障が発生したことを認識する。ただし、この時点ではガス発光素子は発光されていないため、警報と誤認識されることはない。その後、ガス事業者が現場に到着して操作手段を操作するとガスセンサの故障検出時にはガス発光素子が、所定の電気部品の故障検出時には電源発光素子が発光されるため、どの箇所に故障が発生しているかを直感的に把握することができる。
【００１５】
請求項４記載の発明は、請求項１〜３何れか１項記載の警報器であって、前記ガスセンサは複数種のガスを識別可能に検出し、前記ガス発光素子は前記複数種のガスに各々対応して複数設けられ、前記故障箇所報知手段は、前記ガスセンサの故障時に前記操作手段が操作されると複数設けられた全てのガス発光素子を発光させることを特徴とする警報器に存する。
【００１６】
請求項４記載の発明によれば、故障箇所報知手段は、ガスセンサの故障時に操作手段が操作されると複数設けられた全てのガス発光素子を発光させる。従って、複数設けられた全てのガス発光素子を発光させることにより、故障個所がガスセンサである旨を、一層直感的に把握することができる。
【００１７】
請求項５記載の発明は、請求項３記載の警報器であって、前記所定の電気部品は警報に用いる各種情報を記録する記録手段であることを特徴とする警報器に存する。
【００１８】
請求項５記載の発明によれば、所定の電気部品は警報に用いる各種情報を記録する記録手段である。従って、警報器に内蔵された記録手段の故障も報知できる。
【００１９】
請求項６記載の発明は、請求項１〜５何れか１項記載の警報器であって、前記故障箇所報知手段は、前記各発光素子を発光させてから所定時間経過すると、前記発光させた発光素子を消灯させることを特徴とする警報器に存する。
【００２０】
請求項６記載の発明によれば、故障箇所報知手段は、各発光素子を発光させてから所定時間経過すると、発光させた発光素子を消灯させる。従って、操作手段の操作を行ってからガス発光素子がいつまでも発光しているという状態を回避し、所定時間経過後に消灯することができる。
【発明の効果】
【００２１】
以上説明したように請求項１記載の発明によれば、ガスセンサ又は火災センサの故障が検出されると、電源供給時とは異なるように電源発光素子が発光するため、エンドユーザは故障が発生したことを認識する。ただし、この時点ではガス発光素子又は火災発光素子は発光されていないため、警報と誤認識されることはない。その後、ガス事業者が現場に到着して操作手段を操作するとガスセンサの故障検出時にはガス発光素子が、火災センサの故障検出時には火災発光素子が発光されるため、どの箇所に故障が発生しているかを直感的に把握することができるので、直感的に故障個所が把握でき、しかも故障個所の報知を警報と誤認識することがない警報器を得ることができる。
【００２２】
請求項２記載の発明によれば、第１又は第２ガスセンサの故障が検出されると、電源供給時とは異なるように電源発光素子が発光するため、エンドユーザは故障が発生したことを認識する。ただし、この時点では第１ガス発光素子又は第２ガス発光素子は発光されていないため、警報と誤認識されることはない。その後、ガス事業者が現場に到着して操作手段を操作すると第１ガスセンサの故障検出時には第１ガス発光素子が、第２ガスセンサの故障検出時には第２ガス発光素子が発光されるため、どの箇所に故障が発生しているかを直感的に把握することができるので、直感的に故障個所が把握でき、しかも故障個所の報知を警報と誤認識することがない警報器を得ることができる。
【００２３】
請求項３記載の発明によれば、ガスセンサ又は所定の電気部品の故障が検出されると、電源供給時とは異なるように電源発光素子が発光するため、エンドユーザは故障が発生したことを認識する。ただし、この時点ではガス発光素子は発光されていないため、警報と誤認識されることはない。その後、ガス事業者が現場に到着して操作手段を操作するとガスセンサの故障検出時にはガス発光素子が、所定の電気部品の故障検出時には電源発光素子が発光されるため、どの箇所に故障が発生しているかを直感的に把握することができるので、直感的に故障個所が把握でき、しかも故障個所の報知を警報と誤認識することがない警報器を得ることができる。
【００２４】
請求項４記載の発明によれば、複数設けられた全てのガス発光素子を発光させることにより、故障個所がガスセンサである旨を、一層直感的に把握することができる警報器を得ることができる。
【００２５】
請求項５記載の発明によれば、警報器に内蔵された記録手段の故障も報知できる警報器を得ることができる。
【００２６】
請求項６記載の発明によれば、操作手段の操作を行ってからガス発光素子がいつまでも発光しているという状態を回避し、所定時間経過後に消灯することができるので、エンドユーザが操作後のガス発光素子の発光を警報と誤認識してしまうことを防止したり、省電力化を図った警報器を得ることができる。
【発明を実施するための最良の形態】
【００２７】
以下、本発明の実施の形態を図面に基づいて説明する。図１は本発明の警報器としての火災・ガス漏れ警報器の一実施の形態を示すブロック図であり、図２は図１に示す火災・ガス漏れ警報器の外観図である。同図に示すように、火災・ガス漏れ警報器は、火災センサ１１及びガスセンサ１２を備えている。これら火災センサ１１及びガスセンサ１２はマイクロコンピュータ（以下μＣＯＭ）１０に接続され、検出結果をμＣＯＭ１０に供給している。
【００２８】
火災センサ１１は例えば熱センサや煙センサであり、必要に応じて適切な種類のものが用いられている。また、ガスセンサ１２は例えば半導体ガスセンサでＣＨ４（メタン）と水素（Ｈ２）とＣＯ（一酸化炭素）とを識別可能に検出するものである。
【００２９】
火災・ガス漏れ警報器はまた、当該火災・ガス漏れ警報器への電源供給時に発光される電源ランプ１３（＝電源発光素子）と、Ｈ２、ＣＨ４検出時に発光される都市ガス警報ランプ１４（＝ガス発光素子）と、ＣＯ検出時に発光される不完全燃焼警報ランプ１５（＝ガス発光素子）と、火災検出時に発光される火災警報ランプ１６（＝火災発光素子）とを備えている。上述した電源ランプ１３は緑色に発光する発光ダイオード（ＬＥＤ）からなり、都市ガス警報ランプ１４は赤色に発光するＬＥＤからなり、不完全燃焼警報ランプ１５は黄色に発光するＬＥＤからなり、火災警報ランプ１６は赤色に発光するＬＥＤからなる。また、これら各ランプ１３〜１５はμＣＯＭ１０に接続され、μＣＯＭ１０によって発光制御が行われる。
【００３０】
火災・ガス漏れ警報器はまた、ＥＥＰＲＯＭ１７（＝電気部品、記録手段）と、音声確認スイッチ１８（＝操作手段）と、スピーカ１９とを備えている。ＥＥＰＲＯＭ１７には、例えばＣＨ４、ＣＯ、Ｈ２の警報点などを格納している。音声確認スイッチ１８は、図２に示すように、筐体の底面から引き出された紐１８ａをひっぱるとオンするスイッチであり、この音声確認スイッチ１８のオン操作により、音声メッセージの確認、故障個所の報知などを行うことができる。スピーカ１９は警報音、合成音声を出力する。こららＥＥＰＲＯＭ１７、スピーカ１８、音声確認スイッチ１９はμＣＯＭ１０に接続されている。
【００３１】
上述したμＣＯＭ１０は、プログラムに従って各種の処理を行う中央処理ユニット（ＣＰＵ）１０ａと、ＣＰＵ１０ａが行う処理プログラムなどに格納されたＲＯＭ１０ｂと、ＣＰＵ１０ａでの各種の処理過程で使用するワークエリア、各種データを格納するデータ格納エリアなどを有する読み出し書き込み自在のメモリであるＲＯＭ１０ｃとを有する。
【００３２】
上述した構成の火災・ガス漏れ警報器の動作について以下説明する。まず、図示しない電源スイッチがオンされ、火災・ガス漏れ警報器に電源が供給されるとＣＰＵ１０ａは、電源ランプ１３を点灯させる。ＣＰＵ１０ａは電源が供給されている間、常時電源ランプ１３を点灯させて、電源が供給されている旨を報知する。
【００３３】
また、電源供給に応じてＣＰＵ１０ａは、ガスセンサ１２を用いて、ＣＨ４、ＣＯ、Ｈ２のガス濃度の検出を行う。ＣＰＵ１０ａは、検出されたＣＨ４、Ｈ２濃度がＥＥＰＲＯＭ１７に格納された警報点を超えたとき、ガス漏れが発生していると判断して、都市ガス警報ランプ１４及びスピーカ１９を用いて都市ガス警報を行う。都市ガス警報は２段階で行われ、１段目（低濃度時）は都市ガス警報ランプ１４を周期０．５４秒で低速点滅させる。２段目（高濃度）は都市ガスランプ１４を常時点灯させると共に、０．５４秒に１回０．０１８秒のフラッシュ点灯（通常の１０倍の電流を流して高輝度に光らせる）を行う。さらに、スピーカ１９を使って音声／ブザーによる複式警報を行う。
【００３４】
また、ＣＰＵ１０ａは、検出されたＣＯ濃度がＥＥＰＲＯＭ１７に格納された警報点を超えたとき、不完全燃焼が発生していると判断して、不完全燃焼警報ランプ１５及びスピーカ１９を用いて不完全燃焼警報を行う。不完全燃焼警報も２段階で行われ、１段目（低濃度時）は不完全燃焼警報ランプ１５を周期０．５４秒で低速点滅させる。２段目（高濃度時）は不完全燃焼警報ランプ１５を常時点灯させると共に、０．５４秒に１回０．０１８秒のフラッシュ点灯を行う。さらに、スピーカ１９を使って音声／ブザーによる複式警報を行う。なお、ＣＯは低濃度であっても長時間暴露されていると危険なため、ＣＯ濃度が１段警報点を超えた状態が１３分以上継続した場合、警報は２段目に移る。
【００３５】
また、ＣＰＵ１０ａは、火災センサが検出した周囲温度や煙量が警報点を超えたとき、火災が発生していると判断して、火災警報ランプ１６及びスピーカ１９を用いて火災警報を行う。火災警報は火災警報ランプ１６を常時点灯させると共に、０．５４秒に１回０．０１８秒のフラッシュ点灯を行う。さらに、スピーカ１９を使って音声／ブザーによる複式警報を行う。
【００３６】
また、ＣＰＵ１０ａは、第１故障検出手段として働きガスセンサ１２の出力の監視を行うことによって、ガスセンサ１２の故障が発生しているか否かの判断をする。また、ＣＰＵ１０ａは、第２故障検出手段として働き、火災センサ１１の出力の監視や、ＥＥＰＲＯＭ１７にアクセスすることによって、火災センサ１１、ＥＥＰＲＯＭ１７の故障が発生しているか否かを判断する。故障判断としては従来公知の方法などなんでもよい。上述した故障判断により火災センサ１１、ガスセンサ１２、ＥＥＰＲＯＭ１７の故障を検出すると、ＣＰＵ１０ａは、故障の旨を報知する故障報知処理を開始する。
【００３７】
上述した故障報知処理におけるＣＰＵ１０ａの処理手順について、図３を参照して以下説明する。まず、ＣＰＵ１０ａは、故障報知手段として働き、電源ランプ１３を常時点灯状態から高速点滅状態（周期０．１８秒）にする（ステップＳ１）。エンドユーザは、電源ランプ１３の常時点灯状態から高速点滅状態への遷移により、火災・ガス漏れ警報器の故障が発生したことを認識して、ガス事業者に連絡を行う。
【００３８】
その後、ガス事業者が現場に到着して紐１８ａを引っ張って音声確認スイッチ１８をオンすると（ステップＳ２でＹ）、ＣＰＵ１０ａは、火災センサ１１の故障を検出した場合には（ステップＳ３でＹ）、火災警報ランプ１６を高速点滅（周期０．１８秒）させて（ステップＳ５）、故障個所が火災センサ１１である旨を報知した後、故障報知処理を終了する。一方、ガスセンサ１２の故障を検出した場合には（ステップＳ４でＹ）、都市ガス警報ランプ１４及び不完全燃焼警報ランプ１５を同時に高速点滅させて（ステップＳ６）、故障箇所がガスセンサ１２である旨を報知した後、故障報知処理を終了する。
【００３９】
また、ＥＥＰＲＯＭ１７の故障を検出した場合には（ステップＳ４でＮ）、直ちに故障報知処理を終了し、電源ランプ１３のみの点滅を継続させる。
【００４０】
上述した火災・ガス漏れ警報装置によれば、火災センサ１１、ガスセンサ１２又はＥＥＰＲＯＭ１７の故障が検出されると、電源ランプ１３を常時点灯状態から高速点滅状態にして電源供給時とは異なるように発光させるため、エンドユーザが故障発生を認識することができる。ただし、この時点では都市ガス警報ランプ１４、不完全燃焼警報ランプ１５及び火災警報ランプ１６は発光されていないため、エンドユーザは故障報知を警報と誤認識することはない。
【００４１】
その後、ガス事業者が現場に到着して音声確認スイッチ１８をオン操作すると火災センサ１１の故障検出時には火災警報ランプ１６が、ガスセンサ１１の故障検出時には都市ガス警報ランプ１４及び不完全燃焼警報ランプ１５が、ＥＥＰＲＯＭ１７の故障検出時には電源ランプ１３が点滅されるため、どの箇所に故障が発生しているかを直感的に把握することができる。従って、直感的に故障個所が把握でき、しかも故障個所の報知を警報と誤認識することがない。
【００４２】
また上述した火災・ガス漏れ警報器によれば、故障個所を報知するために、各種ランプ１３〜１６を点滅させてから１分間経過すると、点滅させたランプ１３〜１６が消灯される。従って、音声確認スイッチ１８のオン操作を行ってから都市ガス警報ランプ１４、不完全燃焼警報ランプ１５、火災警報ランプ１６がいつまでも点滅しているという状態を回避し、エンドユーザが操作後の都市ガス警報ランプ１４、不完全燃焼警報ランプ１５、火災警報ランプ１６の点滅を警報と誤認識してしまうことを防止することができる。
【００４３】
また、ガスセンサ１２の故障時に、音声確認スイッチ１８のオン操作に応じて、都市ガス警報ランプ１４及び不完全燃焼警報ランプ１５を同時に点滅させることにより、故障個所がガスセンサ１１で或る旨を、一層直感的に把握することができる。
【００４４】
また、上述した実施形態によれば、火災警報ランプ１６や、都市ガスランプ１４及び不完全燃焼警報ランプ１５、電源ランプ１３を高速点滅させて故障箇所を報知した後は、故障報知処理を終了して、高速点滅を継続させていた。しかしながら、特に電池式の警報器の場合、ランプの点滅を継続させると電池残量がゼロとなってしまう恐れがある。また、操作後であっても、火災警報ランプ１６や、都市ガスランプ１４及び不完全燃焼警報ランプ１５が点滅しつづけていると、エンドユーザが警報と誤認識してしまう可能性もある。そこで、音声確認スイッチ１８のオン操作してから例えば１分（＝所定時間）経過すると、ＣＰＵ１０ａは高速点滅させたランプ１３〜１６を消灯するようにしてもよい。
【００４５】
なお、上述した実施形態としては、電気部品を記録手段であるＥＥＰＲＯＭとして説明していた。しかしながら、例えば、電気部品としては、例えば、火災・ガス漏れ警報器に搭載されているものであればなんでもよく、電源供給回路部などであってもよい。
【００４６】
なお、上述した実施形態としては、一つのガスセンサでメタンとＣＯとを識別可能に検出するガス漏れ警報器に適用していた。しかしながら、例えば、メタン、ＣＯとをそれぞれ別々のガスセンサで検出するガス漏れ警報器に適用することも考えられる。この場合、ＣＰＵ１０ａは、第１ガス及び第２ガス故障検出手段として働き、メタンセンサ、ＣＯセンサ（＝第１ガスセンサ、第２ガスセンサ）それぞれに対して故障検出を行い、メタンセンサまたはＣＯセンサの故障が検出されたとき電源ランプ１３を常時点灯状態から高速点灯状態にする。その後、音声認識スイッチ１８のオン操作が行われるとメタンセンサの故障が検出された場合には都市ガス警報ランプ１４（＝第１ガス発光素子）を高速点滅させ、ＣＯセンサの故障が検出された場合には不完全燃焼警報ランプ１５（＝第２ガス発光素子）を高速点滅させて、故障箇所がメタンセンサであるか、それともＣＯセンサであるかを報知することが考えられる。
【００４７】
また、上述した実施形態としては、火災警報とガス漏れ警報とを行う火災・ガス漏れ警報器に適用した場合について説明していた。しかしながら、例えば、火災警報を行わないガス漏れ警報器に適用することも考えられる。このようなガス漏れ警報器には、単一ガスの検出しか行わないものや、複数種のガス検出を行うが、上述した半導体ガスセンサのように単一のガスセンサで行っているものなど、いずれにしても単一のガスセンサしか内蔵していないものがある。この場合、ＣＰＵ１０ａは、ガスセンサ、ＥＥＰＲＯＭのような電気部品に対して故障検出を行い、ガスセンサまたは電気部品の故障が検出されたとき電源ランプ１３を常時点灯状態から高速点灯状態にする。その後、音声認識スイッチ１８のオン操作が行われるとガスセンサの故障が検出された場合にはガス検出時に発光されるランプを高速点滅させ、電気部品の故障が検出された場合には電源ランプ１３を高速点滅させて、故障箇所がガスセンサ１２であるか、それとも電気部品であるかを報知することが考えられる。
【００４８】
また、火災警報を行わないガス漏れ警報器には、例えば、メタンやＣＯをそれぞれ別々のメタンセンサ、ＣＯセンサで検出するものなど、２つ以上のガスセンサが内蔵されているものがある。この場合、ＣＰＵ１０ａは、音声認識スイッチ１８のオン操作が行われるとメタンセンサの故障が検出された場合には都市ガス警報ランプ１４を高速点滅させ、ＣＯセンサの故障が検出された場合には不完全燃焼警報ランプ１５を高速点滅させて、故障箇所がメタンセンサであるか、ＣＯセンサであるかを報知するだけで、特に電気部品の故障を報知する機能が搭載していなくてもよい。
【図面の簡単な説明】
【００４９】
【図１】本発明の火災・ガス漏れ警報器の一実施の形態を示すブロック図である。
【図２】図１に示す火災・ガス漏れ警報器の外観図である。
【図３】故障報知処理におけるＣＰＵ１０ａの処理手順を示すフローチャートである。
【符号の説明】
【００５０】
１０ａ  ＣＰＵ（第１故障検出手段、第２故障検出手段、故障報知手段、故障個所報知手段）
１１    火災センサ
１２    ガスセンサ
１３    電源ランプ（電源発光素子）
１４    都市ガス警報ランプ（ガス発光素子）
１５    不完全燃焼警報ランプ（ガス発光素子）
１６    火災警報ランプ（火災発光素子）
１７    ＥＥＰＲＯＭ（電気部品、記録手段）
１８    音声確認スイッチ（操作手段）
【図１】
2006106850.tif 000003
【図２】
2006106850.tif 000004
【図３】
2006106850.tif 000005